(57)【要約】【課題】フォルダ内の全てのファイルあるいは特定の条件を満たすファイルを、元のフォルダを削除することなく、一括して他のフォルダへ簡単に移動したり、削除すること。【解決手段】ファイルを格納するフォルダの一覧であるナビ画面を表示し（Ｓ５１）、移動元のフォルダを選択し（Ｓ５２）、クイックメニュー内の「まとめてごみ箱へ移動」が選択されると（Ｓ５４）、移動元のフォルダ内の全部のあるいは特定の条件を満たすファイルを移動先フォルダに移動する（Ｓ５８）。【選択図】      図２
2008071293.tif 000002
【特許請求の範囲】
【請求項１】
ファイルを格納するフォルダの選択を受け付ける手段と、
ファイル操作の指令を受け付ける手段と、
選択されたフォルダ内の所定の複数のファイルに対して指令に応じた操作を一括して行なう操作手段と、
を具備するファイル管理システム。
【請求項２】
前記ファイル操作はファイルのフォルダ間の移動であり、前記操作手段は選択されたフォルダ内の所定の複数のファイルを予め決められたフォルダへ一括して移動する請求項１記載のファイル管理システム。
【請求項３】
前記選択受付手段はフォルダの一覧を表示する手段と、表示されているフォルダのいずれかを選択する手段とを具備し、前記一覧表示手段はフォルダ内に操作対象ファイルがあるか否かを識別するマークも表示する請求項１または請求項２記載のファイル管理システム。
【請求項４】
前記選択受付手段はフォルダの一覧を表示する手段と、表示されているフォルダのいずれかを選択する手段とを具備し、前記一覧表示手段はフォルダ内の操作対象の映像あるいは音声ファイルの視聴時間も表示する請求項１または請求項２記載のファイル管理システム。
【請求項５】
前記選択受付手段はフォルダの一覧を表示する手段と、表示されているフォルダのいずれかを選択する手段とを具備し、前記一覧表示手段はフォルダ内の操作対象ファイルのサイズも表示する請求項１または請求項２記載のファイル管理システム。
【請求項６】
前記一覧表示手段は記憶媒体の全記憶容量に対する操作対象ファイルのサイズの比率を示す数値を表示する請求項５記載のファイル管理システム。
【請求項７】
前記一覧表示手段は記憶媒体の使用済みの容量と、未使用の容量と、操作対象ファイルのサイズの比率を示すバーグラフを表示する請求項５記載のファイル管理システム。
【請求項８】
前記操作対象ファイルはフォルダ内の一度も視聴されていない映像ファイルあるいは音楽ファイル以外の映像ファイルあるいは音楽ファイルである請求項１乃至請求項７のいずれか一項記載のファイル管理システム。
【請求項９】
前記操作対象ファイルはフォルダ内の所定パーセント以上視聴された映像ファイルあるいは音楽ファイルである請求項１乃至請求項７のいずれか一項記載のファイル管理システム。
【請求項１０】
ファイルを格納するフォルダの一覧を表示し、
一覧の中から選択されたフォルダの情報を入力し、
ファイル操作の一覧を表示し、
操作一覧の中から選択されたファイル操作の情報を入力し、
選択されたフォルダ内の所定の複数のファイルに対して選択された操作を一括して行なうファイル管理方法。
【請求項１１】
前記選択された操作はファイルのフォルダ間の移動であり、
選択されたフォルダ内の所定の複数のファイルが予め決められたフォルダへ一括して移動される請求項１０記載のファイル管理方法。
【請求項１２】
前記フォルダの一覧表示はフォルダ内に操作対象ファイルがあるか否かを識別するマークも表示する請求項１０または請求項１１記載のファイル管理方法。
【請求項１３】
前記フォルダの一覧表示はフォルダ内の操作対象の映像あるいは音声ファイルの視聴時間も表示する請求項１０または請求項１１記載のファイル管理方法。
【請求項１４】
前記フォルダの一覧表示はフォルダ内の操作対象ファイルのサイズも表示する請求項１０または請求項１１記載のファイル管理方法。
【請求項１５】
前記フォルダの一覧表示は記憶媒体の全記憶容量に対する操作対象ファイルのサイズの比率を示す数値を表示する請求項１４記載のファイル管理方法。
【請求項１６】
前記フォルダの一覧表示は記憶媒体の使用済みの容量と、未使用の容量と、操作対象ファイルのサイズの比率を示すバーグラフを表示する請求項１４記載のファイル管理方法。
【発明の詳細な説明】
【技術分野】
【０００１】
本発明はフォルダにより階層的にファイルを管理する際に、あるフォルダ内のファイルを一括して他のフォルダへ移動等の操作を行なうファイル管理システムおよびファイル管理方法に関する。
【背景技術】
【０００２】
このようなファイル管理システムの従来例としては特許文献１に記載の複数のフォルダを統合して１つのフォルダを作成するファイル管理システムがある。このシステムは１つ以上のフォルダを指定するフォルダ指定手段と、指定されたフォルダ内のすべてのファイルを結合先のフォルダへ移動し、元のフォルダを削除するフォルダ結合手段と、結合先のフォルダを設定する結合先フォルダ設定手段とを具備する。この構成により、複数フォルダで管理されているファイルを特定フォルダにまとめる作業が大幅な時間短縮となる。
【０００３】
この従来例では、フォルダの結合が目的であり、移動元のフォルダはファイルが存在しないので削除される。しかし、アプリケーションによっては、フォルダの結合ではなく、フォルダ内の全てのファイルを一括して他のフォルダへ移動するだけで、元のフォルダは残しておきたいことがある。また、フォルダ内の全てのファイルではなく、予め選択したあるいは特定の条件を満たすファイルのみを一括して他のフォルダへ移動したいこともある。
【特許文献１】特開２００３−１６７７７０号公報（請求項１、段落０００８）
【発明の開示】
【発明が解決しようとする課題】
【０００４】
このように従来のファイル管理システムには、フォルダ内の全てのファイルあるいは特定の条件を満たすファイルを、元のフォルダを削除することなく、一括して他のフォルダへ簡単に移動したり、削除することができないという欠点がある。
【０００５】
本発明の目的は、フォルダ内の全てのファイルあるいは特定の条件を満たすファイルを、元のフォルダを削除することなく、簡単に他のフォルダへ一括して移動したり、削除することができるファイル管理システムおよびファイル管理方法を提供することである。
【課題を解決するための手段】
【０００６】
本発明の一態様によるファイル管理システムは、ファイルを格納するフォルダの選択を受け付ける手段と、ファイル操作の指令を受け付ける手段と、選択されたフォルダ内の所定の複数のファイルに対して指令に応じた操作を一括して行なう操作手段とを具備する。
【０００７】
本発明の他の態様によるファイル管理方法は、ファイルを格納するフォルダの一覧を表示し、一覧の中から選択されたフォルダの情報を入力し、ファイル操作の一覧を表示し、操作一覧の中から選択されたファイル操作の情報を入力し、選択されたフォルダ内の所定の複数のファイルに対して選択された操作を一括して行なう。
【発明の効果】
【０００８】
以上説明したように本発明によれば、フォルダ内の全てのファイルあるいは特定の条件を満たすファイルを、元のフォルダを削除することなく、簡単に他のフォルダへ一括して移動したり、削除することができるファイル管理システムおよびファイル管理方法を提供することができる。
【発明を実施するための最良の形態】
【０００９】
以下、図面を参照して本発明によるファイル管理システムおよびファイル管理方法の実施の形態を説明する。
【００１０】
第１の実施の形態
図１は本発明の第１の実施の形態に係るファイル管理システムおよびファイル管理方法を含む装置の一例としての記録再生装置（以下、ＨＤＤ＆ＤＶＤレコーダと称する）の構成を示す図である。
【００１１】
（構成）
ＨＤＤ＆ＤＶＤレコーダは、２種類のディスクドライブ部：ビデオファイルを構築できる情報記録媒体である第１のメディアとしてのＤＶＤ等の光ディスクＤを回転駆動し、情報の読み書きを実行する光ディスクドライブ部１１９と、第２のメディアとしてのハードディスクを駆動するハードディスクドライブ（ＨＤＤ）部１１８とを有する。
【００１２】
ＨＤＤ＆ＤＶＤレコーダは、録画側の主要部であるエンコーダ部１２１と、再生側の主要部であるＭＰＥＧデコーダ部１２３と、装置本体の動作を制御する制御部１３０とを主たる構成要素としている。制御部１３０は、全体の動作を司るべくデータバスを介して各部に接続されている。
【００１３】
ＨＤＤ＆ＤＶＤレコーダは、入力側のセレクタ部１１６と出力側のセレクタ部１１７とを有しており、入力側のセレクタ部１１６には、インターネット、ＬＡＮ等に接続される通信部１１１と、いわゆる衛星放送（ＢＳ／ＣＳ）チューナ部１１２と、いわゆる地上波チューナ部１１３とが接続され、エンコーダ部１２１に信号を出力する。エンコーダ部１２１には多重化部１２８が接続される。ＢＳ／ＣＳチューナ部１１２には衛星放送アンテナが、地上波チューナ部１１３には地上波アンテナが接続され、放送局（図示せず）からの放送電波を受信している。
【００１４】
通信部１１１はモデムＭを介してインターネット１０６、ＬＡＮ（図示せず）等に接続され、インターネット１０６に接続された番組情報提供サーバ（図示せず）から番組情報をダウンロードしたり、インターネット放送局（図示せず）からコンテンツ情報等をダウンロードする。なお、番組情報提供サーバからの番組情報はインターネットを介してＨＤＤ＆ＤＶＤレコーダに提供される形態以外にも、番組情報を放送局に提供し、放送局の放送信号（地上波デジタル、地上波アナログ、衛星放送デジタル、衛星放送アナログ等）に重畳させてＨＤＤ＆ＤＶＤレコーダに提供する形態も可能である。
【００１５】
エンコーダ部１２１の出力がデータ編集部１２０に供給され、データ編集等の所望のデータ処理が行われる。データ編集部１２０にハードディスクドライブ部１１８、光ディスクドライブ部１１９が接続される。データ編集部１２０はハードディスクドライブ部１１８、光ディスクドライブ部１１９からの信号を受けて記録時とは逆のデータ処理を行い、ＭＰＥＧデコーダ部１２３のバッファ部１２２に供給する。ＭＰＥＧデコーダ部１２３には分離部１２９も接続される。ＭＥＰＧデコーダ部１２３の出力が音声映像処理部１２４を介して出力側のセレクタ部１１７に供給される。セレクタ部１１７の出力は、外部の受像機１４１に供給される、あるいは外部装置との通信を行うインターフェース部１２７を介して図示しない外部装置に供給される。
【００１６】
データバスには、予約した開始時刻から終了時刻まで自動的に録画を行う予約録画部１４２、予約リストや番組表画像を生成する番組表生成部１４３も接続される。
【００１７】
さらに、ＨＤＤ＆ＤＶＤレコーダは、データバスを介して制御部１３０に接続され、ユーザの操作やリモコンＲからの操作指示信号を受ける操作部１３２を有している。リモコンＲは、ＨＤＤ＆ＤＶＤレコーダの本体に設けられる操作部１３２とほぼ同等の操作を可能とするものであり、ハードディスクドライブ部１１８や光ディスクドライブ部１１９の記録再生指示や、編集指示、又、チューナの操作、予約録画の設定等、各種設定が可能である。操作部１３２の操作結果は受像機１４１の画面に表示されるとともに、本体前面の表示部１３３でも一部表示される。
【００１８】
（基本動作）
このような構成のＨＤＤ＆ＤＶＤレコーダにおいて、光ディスクＤを例に取って、再生処理と記録処理の概要を説明する。制御部１３０の制御下において、所定速度に回転される光ディスクＤは、レーザ光が照射されその反射光が光ピックアップにより検出され、これに基づく検出信号が出力される。この検出信号に基づいて、ＲＦ信号が生成され、データの読取処理に続いて再生処理が行われる。
【００１９】
光ディスクの記録処理は、制御部１３０の制御下において、通信部１１１、チューナ部１１２、１１３からセレクタ部１１６を介して供給されたデータは、エンコーダ部１２１に供給され、コード化されて出力される。このコード化出力と制御部１３０の出力に応じて、レーザドライバの駆動電流が光ピックアップに供給され、光ディスクＤの記憶領域に照射することで、記録処理が行われるものである。
【００２０】
（記録処理）
次に、このような構成を有するＨＤＤ＆ＤＶＤレコーダの動作を詳細に説明する。初めに、主に記録時の動作について詳細に説明する。通信部１１１は、外部機器と接続して、例えばモデムＭ等を介しインターネット等の通信路を経由して番組情報提供サーバ等と通信を行ったり、放送局からコンテンツ情報等をダウンロードしたりする。ＢＳ／ＣＳチューナ部１１２、地上波チューナ部１１３は、アンテナを介して放送信号を選局し復調して映像信号及び音声信号を入力するもので、広範な種類の放送信号に対応する。例えば、地上波アナログ放送、地上波デジタル放送、ＢＳアナログ放送、ＢＳデジタル放送、ＣＳデジタル放送等に及ぶものであり、これに限るものではない。また、必ずしも一つだけを設けるものではなく、例えば、地上波アナログ放送のチューナ部やＢＳ／ＣＳチューナ部を２つ又は３つ以上を有し、予約録画の要求に応じて平行して機能させる場合も含んでいる。
【００２１】
通信部１１１は、ＩＥＥＥ１３９４インターフェースであってもよく、ネットワーク上の外部機器からデジタルコンテンツを受けることが可能である。また、図示しない入力端部から、輝度信号や色差信号、コンポジット等の映像信号、音声信号を受けることも可能である。これらは、制御部１３０等で制御されるセレクタ部１１６により、入力が制御されて、エンコーダ部１２１に選択的に供給される。
【００２２】
エンコーダ部１２１は、セレクタ部１１６により入力されたアナログビデオ信号やアナログオーディオ信号をデジタル化するビデオ用及びオーディオ用のアナログデジタルコンバータと、ビデオエンコーダと、オーディオエンコーダと、さらに副映像エンコーダを有する。エンコーダ部１２１の出力は、所定のＭＰＥＧ等の圧縮フォーマットに変換され、制御部１３０に供給される。
【００２３】
ＢＳ／ＣＳチューナ１１２等は、必ずしも内蔵されている必要はなく、データ入力端子を介して外付けされて、受信したデジタル信号をセレクタ部１１６を介してエンコーダ部１２１や制御部１３０に供給してもよい。
【００２４】
図１の装置は、エンコーダ部１２１でエンコードされた情報（ビデオ、オーディオ、副映像データなどのパック）及び作成された管理情報を、制御部１３０を介してハードディスクドライブ部１１８または光ディスクドライブ部１１９に供給し、ハードディスクまたは光ディスクＤに記録することができる。ハードディスクまたは光ディスクＤに記録された情報を、制御部１３０、光ディスクドライブ部１１９またはハードディスクドライブ部１１８を介して光ディスクＤまたはハードディスクに記録することもできる。
【００２５】
（編集処理）
データ編集部１２０により、ハードディスクまたは光ディスクＤに記録されている複数番組のビデオ・オブジェクトを、一部削除したり、異なる番組のオブジェクトをつなげたり、といった編集処理を行うこともできる。
【００２６】
（再生処理）
次に、記録された情報の再生処理について詳細に説明する。ＭＰＥＧデコーダ部１２３は、デコードされた主映像にデコードされた副映像を適宜合成し、主映像にメニュー、ハイライトボタン、字幕やその他の副映像を重ねて出力するビデオプロセッサを備えている。
【００２７】
ＭＰＥＧデコーダ部１２３の出力オーディオ信号は、セレクタ部１１７を介して図示しないデジタルアナログ変換器でアナログ変換されてスピーカに供給されるか、Ｉ／Ｆ部１２７を介して外部装置に供給される。セレクタ部１１７は、制御部１３０からのセレクト信号により制御される。これによりセレクタ部１１７は、各チューナ部１１２，１１３からのデジタル信号を直接モニタする時、エンコーダ部１２１をスルーした信号を直接選択することも可能である。
【００２８】
（予約録画処理）
通信部１１１等から取得した電子番組情報に基づいて録画予約処理が可能である。予約された予約録画情報（予約録画部１４２に記憶）に基づいて、制御部１３０及び予約録画部１４２の働きにより、予約時刻になると、ＢＳ／ＣＳチューナ部１１２又は地上波チューナ部１１３が受信した番組情報が復調された映像音声信号が、エンコーダ１２１等のエンコード処理を経て、例えば、ハードディスクドライブ部１１８に記録（予約録画）される。
【００２９】
この実施の形態のＨＤＤ＆ＤＶＤレコーダは、このように総合的な機能を有するものであり、多くのソースに対して光ディスクＤ又はハードディスクによる記録・再生処理を行うものである。
【００３０】
図２は移動元フォルダのファイルを簡単な操作で移動先フォルダに移動するフォルダ間ファイル一括移動の動作を示すフローチャートである。
【００３１】
ステップＳ６１で、移動先フォルダを選択するか否かの問い合わせを表示する。ユーザが「否」を指定・入力すると、ステップＳ６２で、移動先フォルダとしてデフォルトフォルダを設定する。デフォルトフォルダとしてはごみ箱フォルダが設定されている。なお、デフォルトフォルダもユーザにより変更可能である。ユーザが「選択する」を指定・入力すると、ステップＳ６３で、移動先フォルダの選択メニューが表示され、ステップＳ６４で、移動先フォルダが選択される。ごみ箱フォルダは削除したいファイルを一旦格納して、ごみ箱を空にする処理によりファイルを完全に削除するために利用される。
【００３２】
なお、ステップＳ６１〜Ｓ６４はフォルダ間一括移動の直前に常に実行するのではなく、処理の前に予め実行してもよいし、移動先フォルダを変更したい場合のみ実行するようにしてもよい。
【００３３】
ステップＳ６２あるいはＳ６４の次に、ステップＳ５１で、記憶媒体に記憶されているタイトル（ファイル）サムネイル一覧であるナビ画面が表示される。ナビ画面の一例を図３に示す。図３は記憶媒体としてハードディスクが指定され、再生するタイトルを選ぶ際に表示されるナビ画面を示す。ナビ画面は再生の際のみならず、編集の際にも表示されるし、ＤＶＤに格納されているタイトルサムネイルも表示することができる。ナビ画面１０はフォルダを示すアイコン１１、１２、１３、１４以外にも、ルートディレクトリに格納されているファイル（録画タイトル）を示すアイコン１５、１６も混在して表示する。アイコンはフォルダ名あるいはファイル名、フォルダに格納される全ファイルの総時間（記録時間）を表示する。
【００３４】
ステップＳ５２で、移動元のフォルダあるいはファイルの選択がなされる。ここでは、シリーズフォルダ１２が選択されるとする。
【００３５】
ステップＳ５３で、図４に示すようなクイックメニュー１７が表示される。クイックメニュー１７は選択したフォルダに対するメニューである。ファイルを選択した場合はメニュー項目の「まとめてごみ箱へ移動」が単なる「ごみ箱へ移動」となる。フォルダ間ファイル一括移動のためには、クイックメニュー１７の「まとめてごみ箱へ移動」項目１８が選択される（ステップＳ５４）。
【００３６】
ステップＳ５５で、フォルダ間ファイル一括移動処理を開始してよいか否かの確認メニュー１９（図５）が表示される。一括移動処理を開始して良くない場合は、直ぐに処理が終了する。開始してよい場合は、ステップＳ５６で、移動元フォルダに格納されている移動対象のファイルのリストを取得する。移動対象ファイルはこの例では全部のファイルであるが、後述する他の例では必ずしも全ファイルではなく、ある条件に合致するファイル（例えば、予め選択したファイル）であっても良い。
【００３７】
ステップＳ５７で、未移動のファイルがリストに残っているか否かを判定する。ある場合は、ステップＳ５８で、１つのファイルを移動先フォルダへ移動する。ステップＳ５８は未移動のファイルがリストに残っていないとステップＳ５７で判定されるまで繰り返される。
【００３８】
ステップＳ５７で、未移動のファイルがリストに残っていないと判定されると、ステップＳ５９で図６に示すようなファイル一括移動終了画面が表示される。図３または図４に示すように一括移動前はシリーズフォルダ１２には総記録時間が１時間５８分５８秒のファイルが格納され、ごみ箱フォルダ１４には総記録時間が０時間１分７秒のファイルが格納されているが、一括移動が完了すると、図６に示すように、シリーズフォルダ１２の総記録時間は０秒となり、ごみ箱フォルダ１４の総記録時間が２時間０分５秒に増え、ファイルがごみ箱に移動したことが分かる。
【００３９】
以上説明したように本実施の形態によれば、移動元フォルダを選択し、クイックメニューの「まとめてごみ箱へ移動」項目１８をクリックするだけで、ファイルを１個づつ選択し移動先を決定する必要がなく、１度の操作で移動元フォルダ内の全ファイルをごみ箱フォルダへまとめて移動することができ、ユーザの利便性が増す。フォルダ間のファイル一括移動の主たる目的は、記憶媒体の空き容量を増やすために、視聴し終わったファイルを簡単にまとめて削除することである。本実施の形態によれば、あるフォルダの全フィルを視聴し終わった場合は、そのフォルダを指定するだけで、ファイルの選択・確認をすることなく、フォルダ内の全てのファイルをごみ箱に移動することができる。この後、ごみ箱を空にすることによりファイルを削除することができる。本実施の形態によれば、移動によりフォルダ内のファイルが無くなっても、移動元フォルダは削除されずに残される。これは、番組予約の録画先として移動元フォルダが指定されている場合があるためである。移動元フォルダを削除すると、予約情報を書き換える、あるいはフォルダを再び作成しなければならず、ユーザの利便性が低下する。また、不要なファイルを削除する場合は処理に時間を要するが、第１の実施の形態のようにごみ箱に移動するだけであれば処理に時間はかからない。後の都合のよい時に、ごみ箱の中身をまとめて削除することができるため、ユーザの利便性がさらに増す。
【００４０】
以下、本発明によるファイル管理システムおよびファイル管理方法の他の実施の形態を説明する。他の実施の形態のブロック図は第１の実施の形態のブロック図と同一であるので、図示省略する。第１の実施の形態では移動するファイルは無条件にフォルダ内の全てのファイルとしたが、全てではなくある条件に合致する特定のファイルのみまとめて移動する３つの実施の形態を説明する。
【００４１】
第２の実施の形態
第２の実施の形態は選択したフォルダ内の全てのファイルではなく、削除対象として予め選択したファイルのみをごみ箱にまとめて移動するものである。この選択は適宜のタイミングで図３に示すナビ画面から図７に示すようなフォルダ内のファイル一覧表示２０に切替え、ごみ箱に移動しても良いファイル２１、２２に移動対象ファイルを示す移動マーク２３を予め付すことによりなされる。ファイル一括移動の開始指示後、図２のフローチャートのステップＳ５６で取得するリストはこの移動マーク２３が表示されたファイルのリストとなる。
【００４２】
第２の実施の形態によっても、移動対象ファイルを予め選択しておけば、フォルダを選択し、クイックメニューの「まとめてごみ箱へ移動」項目１８をクリックするだけで、移動元フォルダ内の選択したファイルを簡単にごみ箱フォルダへまとめて移動することができる。また、第２の実施の形態によれば、ユーザが移動ファイルを選択するため、ユーザの意向に沿ったファイルの一括移動が行われるので、不所望のファイルを誤って移動してしまうことを防ぐという効果もある。
【００４３】
第３の実施の形態
第３の実施の形態はＨＤＤ＆ＤＶＤレコーダが持っている機能のうちの未再生マーク（Ｎｅｗマーク）を利用して特定のファイルのみ移動するものである。初期状態では未再生マークは録画したファイルに全て付される。その後、そのファイルを一度でも（一秒でも）再生すると未再生マークは消される。図８はフォルダ内のファイル一覧表示３０であり、一度も再生していないファイル３１、３２に未再生マーク３３が表示されている。未再生マークが表示されていないファイルは一度は再生したファイルであり、未再生マークが表示されたファイルに比べると、削除しても問題が生じる可能性が低いと言える。そのため、第３の実施の形態では、未再生マーク３３が表示されているファイル以外のファイルを一括して移動する。ファイル一括移動の開始指示後、図２のフローチャートのステップＳ５６で取得するリストはこの未再生マーク３３が表示されたファイル以外のファイルのリストとなる。
【００４４】
第３の実施の形態によっても、移動元フォルダを指定するだけで、フォルダ内の一度は再生したファイルをまとめてごみ箱フォルダへ移動することができる。また、第３の実施の形態は、未だ一度も再生していないファイルは移動対象から外されることにより、誤ってファイルを移動してしまうことを防ぐという効果もある。さらに、ファイルの選択が自動的に行われるので、ユーザの手間を省くことができる。 
第４の実施の形態
第４の実施の形態はＨＤＤ＆ＤＶＤレコーダが持っている機能のうちの見途中マークを利用して特定のファイルのみ移動するものである。見途中マークは６０％以上再生したファイルに付される。図９はフォルダ内のファイル一覧表示４０であり、６０％以上再生したファイル４１、４２に見途中マーク４３が表示される。見途中マークが表示されているファイルは６０％以上再生したので、それ以外のファイルに比べると、削除しても問題が生じる可能性が低いと言える。そのため、第４の実施の形態では、見途中マーク４３が表示されているファイルを一括して移動する。ファイル一括移動の開始指示後、図２のフローチャートのステップＳ５６で取得するリストはこの見途中マーク４３が表示されたファイルのリストとなる。
【００４５】
第４の実施の形態によっても、移動元フォルダを指定するだけで、フォルダ内の特定のファイルをまとめてごみ箱フォルダへ移動することができる。この実施の形態は、例えば記憶媒体の空き容量が少なくなり、なるべく多くのファイルをごみ箱へ移動したい場合等に有効である。さらに、ファイルの選択が自動的に行われるので、ユーザの手間を省くことができる。
【００４６】
次に、フォルダを選択する際のユーザの利便性を高める実施の形態について説明する。以下の実施の形態は記憶媒体の空き容量を増やすためにはどのフォルダを選択すればよいかをガイドする表示を行なうものである。
【００４７】
第５の実施の形態
図１０は第５の実施の形態のナビ画面５０（図２のフローチャートのステップＳ５１で表示される）である。第２乃至第４の実施の形態のいずれの実施形態の定義によるものでも構わないが、移動対象のファイルが１つでも格納されているフォルダ１１、１２に移動マーク５１が表示される。これによりフォルダ内を確認することなく、移動対象ファイルを含んでいることがわかる。ユーザはこの移動マーク５１が表示されているフォルダ１１、１２の中から移動元フォルダを選択すれば、確実に記憶媒体の空き容量を増やすことができる。
【００４８】
第６の実施の形態
図１１は第６の実施の形態のナビ画面６０（図２のフローチャートのステップＳ５１で表示される）である。第２乃至第４の実施の形態のいずれの実施形態の定義によるものでも構わないが、移動対象のファイルが１つでも格納されているフォルダ１１、１２に移動対象ファイルの総記録時間６１が表示される。これによりフォルダ内を確認することなく、移動対象ファイルの総記録時間がわかる。ユーザはこの総記録時間６１を参考に移動元フォルダを選択すれば、効率良く記憶媒体の空き容量を増やすことができる。
【００４９】
第７の実施の形態
図１２は第７の実施の形態のナビ画面７０（図２のフローチャートのステップＳ５１で表示される）である。第２乃至第４の実施の形態のいずれの実施形態の定義によるものでも構わないが、移動対象のファイルが１つでも格納されているフォルダ１１、１２に移動対象ファイルのサイズ７１が表示される。これによりフォルダ内を確認することなく、移動対象ファイルのサイズがわかる。ユーザはこのサイズ７１を参考に移動元フォルダを選択すれば、効率良く記憶媒体の空き容量を増やすことができる。
【００５０】
第８の実施の形態
図１３は第８の実施の形態のナビ画面８０（図２のフローチャートのステップＳ５１で表示される）である。第２乃至第４の実施の形態のいずれの実施形態の定義によるものでも構わないが、移動対象のファイルが１つでも格納されているフォルダ１１、１２に移動対象ファイルのサイズをバーグラフ８１で表示する。バーグラフ８１は記憶媒体の全容量を示し、領域８１ａは使用済みの容量を、領域８１ｂは移動対象ファイルの容量（サイズ）を、領域８１ｃは未使用の容量を示す。このバーグラフ８１によりフォルダ内を確認することなく、記憶媒体の全容量における移動対象ファイルの容量の比率がわかる。ユーザはこのバーグラフ８１を参考に移動元フォルダを選択すれば、効率良く記憶媒体の空き容量を増やすことができる。
【００５１】
第９の実施の形態
図１４は第９の実施の形態のナビ画面９０（図２のフローチャートのステップＳ５１で表示される）である。第２乃至第４の実施の形態のいずれの実施形態の定義によるものでも構わないが、移動対象のファイルが１つでも格納されているフォルダ１１、１２に移動対象ファイルのサイズの記憶媒体の全容量に対する比率を数値９１で示す。この数値９１によりフォルダ内を確認することなく、記憶媒体の全容量における移動対象ファイルの容量の比率がわかる。ユーザはこの数値９１を参考に移動元フォルダを選択すれば、効率良く記憶媒体の空き容量を増やすことができる。
【００５２】
変形例
本発明は上述した実施の形態に限定されず、種々変形して実施可能である。例えば、上述の説明では、ＨＤＤとＤＶＤを用いた映像ファイルの記録再生装置を説明したが、フラッシュメモリやＨＤＤを利用した音楽ファイルの記録再生装置や、データファイルを記録する通常のパーソナルコンピュータにも同様に適用可能である。また、ファイル操作としてはフォルダ間の移動を説明したが、これに限らず削除、コピー等の操作でもよい。ハードディスク内のファイルを対象としたが、書換え可能なＤＶＤ内のファイルを対象とすることもできる。見途中マークを表示する基準は６０％の再生が済んだか否かであるが、この数値は適宜変更して良い。
【００５３】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５４】
【図１】本発明の一実施の形態であるファイル管理システムを含む記録再生装置のブロック図。
【図２】本発明の第１の実施の形態のフォルダ間ファイル一括移動の動作を示すフローチャート。
【図３】ナビ画面の一例を示す図。
【図４】クイックメニューが表示されたナビ画面の一例を示す図。
【図５】ファイル一括移動の開始の確認メニューが表示されたナビ画面の一例を示す図。
【図６】ファイル一括移動の完了後のナビ画面の一例を示す図。
【図７】第２の実施の形態のナビ画面の一例を示す図。
【図８】第３の実施の形態のナビ画面の一例を示す図。
【図９】第４の実施の形態のナビ画面の一例を示す図。
【図１０】第５の実施の形態のナビ画面の一例を示す図。
【図１１】第６の実施の形態のナビ画面の一例を示す図。
【図１２】第７の実施の形態のナビ画面の一例を示す図。
【図１３】第８の実施の形態のナビ画面の一例を示す図。
【図１４】第９の実施の形態のナビ画面の一例を示す図。
【符号の説明】
【００５５】
１１２…ＢＳ／ＣＳチューナ部、１１３…地上波チューナ部、１１６，１１７…セレクタ部、１１８…ハードディスクドライブ部、１１９…光ディスクドライブ部、１２０…データ編集部、１２１…エンコーダ部、１２３…ＭＰＥＧデコーダ部、１２４…音声映像処理部、１２８…多重化部、１２９…分離部。
【図１】
2008071293.tif 000003
【図２】
2008071293.tif 000004
【図３】
2008071293.tif 000005
【図４】
2008071293.tif 000006
【図５】
2008071293.tif 000007
【図６】
2008071293.tif 000008
【図７】
2008071293.tif 000009
【図８】
2008071293.tif 000010
【図９】
2008071293.tif 000011
【図１０】
2008071293.tif 000012
【図１１】
2008071293.tif 000013
【図１２】
2008071293.tif 000014
【図１３】
2008071293.tif 000015
【図１４】
2008071293.tif 000016